(57)【要約】【課題】素肌と化粧肌の色差を強調することでファンデーションの塗りムラを視認しやすくする。【解決手段】  実施形態に係る光源ユニットは、可視光域の分光分布において、４５０〜４８０ｎｍ、５３０〜５７０ｎｍ及び６２０〜６５０ｎｍの３つの波長域にピークを有し、前記３つの波長域におけるピーク値の比が、１対０．７〜１．０対０．３〜０．８である照明光を発する。これにより、素肌と化粧肌の色差を強調することができる。【選択図】図２
2015185438.tif 000002
【特許請求の範囲】
【請求項１】
可視光域の分光分布において、４５０〜４８０ｎｍ、５３０〜５７０ｎｍ及び６２０〜６５０ｎｍの３つの波長域にピークを有し、前記３つの波長域におけるピーク値の比が、１対０．７〜１．０対０．３〜０．８である照明光を発する；
ことを特徴とする光源ユニット。
【請求項２】
前記３つの波長域の半値幅は、４０ｎｍ以下である；
ことを特徴とする請求項１の光源ユニット。
【請求項３】
ミラーと；
可視光域の分光分布において、４５０〜４８０ｎｍ、５３０〜５７０ｎｍ及び６２０〜６５０ｎｍの３つの波長域にピークを有し、前記３つの波長域におけるピーク値の比が、１対０．７〜１．０対０．３〜０．８である第１の照明光と白色の第２の照明光とを発する光源ユニットと；
前記光源ユニットを制御してチェックモードにおいて前記第１の照明光を照射させ通常モードにおいて前記第２の照明光を照射させる照明制御部と；
を具備したことを特徴とする照明装置。
【請求項４】
前記第１の照明光はピーク波長が異なる少なくとも３種類の単色光源からの光の混光によって得られ、前記第２の照明光は少なくとも１種類の白色光源からの光によって得られる
ことを特徴とする請求項３記載の照明装置。
【請求項５】
前記光源ユニットは、ピーク波長が異なる少なくとも３種類の単色光源によって構成され、前記第１の照明光と前記第２の照明光とは、前記３種類の単色光源からの光の混光比を変更することで得る
ことを特徴とする請求項３記載の照明装置。
【発明の詳細な説明】
【技術分野】
【０００１】
本発明の実施形態は、光源ユニット及び照明装置に関する。
【背景技術】
【０００２】
従来、化粧用の照明装置が商品化されている。このような照明装置においては、室内照明の明るさを補って、人の顔を十分な明るさで照明する機能だけでなく、化粧の仕上がりをよくするために照明条件を変更可能に構成されたものもある。例えば、自然色蛍光灯、白熱色蛍光灯、白熱灯色Ｕタイプ蛍光灯を組合せて、出向く外出先に応じて照明を切換えることで、外出先に応じた化粧仕上がりを得るような装置も開発されている。
【０００３】
しかしながら、従来、化粧行為の際に、素肌と化粧肌の色差を強調し、ファンデーションの塗りムラを視認しやすくする照明装置は開発されていない。
【先行技術文献】
【特許文献】
【０００４】
【特許文献１】特開平７−２２０５２２号公報
【発明の概要】
【発明が解決しようとする課題】
【０００５】
本発明の実施形態は、素肌と化粧肌の色差を強調することでファンデーションの塗りムラを視認しやすくすることができる光源ユニット及び照明装置を提供することを目的とする。
【課題を解決するための手段】
【０００６】
実施形態に係る光源ユニットは、可視光域の分光分布において、４５０〜４８０ｎｍ、５３０〜５７０ｎｍ及び６２０〜６５０ｎｍの３つの波長域にピークを有し、前記３つの波長域におけるピーク値の比が、１対０．７〜１．０対０．３〜０．８である照明光を発する。
【発明の効果】
【０００７】
本発明の実施形態によれば、素肌と化粧肌の色差を強調することでファンデーションの塗りムラを視認しやすくすることができるという効果を有する。
【図面の簡単な説明】
【０００８】
【図１】本発明の第１の実施の形態に係る光源ユニットが組み込まれた照明装置を示す説明図。
【図２】横軸に波長をとり縦軸に相対エネルギをとって、光源ユニット１４の相対分光分布の一例を示すグラフ。
【図３】横軸に波長をとり縦軸に反射率をとって、一人の人物（黄色人種）の顔の光の反射率の変化を示すグラフ。
【図４】色差（ＣＩＥＤＥ２０００の値）の等級分けを示す図表。
【図５】相関色温度６３００ＫのＬＥＤ光源における分光分布特性を示すグラフ。
【図６】本発明の第２の実施の形態に係る照明装置の外観を示す斜視図。
【図７】図６の照明装置の内部の構成を示す説明図。
【発明を実施するための最良の形態】
【０００９】
以下、図面を参照して本発明の実施の形態について詳細に説明する。
【００１０】
（第１の実施の形態）
図１は本発明の第１の実施の形態に係る光源ユニットが組み込まれた照明装置を示す説明図である。
【００１１】
照明装置１０は、素肌と化粧肌との色差を強調する照明光を照射するものである。例えば、照明装置１０は、青色光源１１、緑色光源１２及び赤色光源１３からなる光源ユニット１４によって構成される。なお、図１ではハッチングの向きによって光源の種類を示している。図１では、光源ユニット１４は、光源１１〜１３が所定の間隔で配置されて構成されている。照明装置１０は、光源１１〜１３による光源ユニット１４が、水平及び垂直方向に所定の間隔で所定の数だけ配置されて構成されている。図１の光源ユニット１４及び照明装置１０の構成は一例であり、本実施の形態においては、後述する所定の相対分光分布特性が得られる光源ユニット及び照明装置であれば、その構造は限定されるものではなく、種々の構成が考えられる。
【００１２】
光源ユニット１４は、これらの光源１１〜１３を点灯させることで、３つの波長域内に一定の割合でピーク値を有する分光分布特性を有する。なお、ここで、ピーク値とは、エネルギーの極大値をいう。
【００１３】
図２は横軸に波長をとり縦軸に相対エネルギをとって、光源ユニット１４の相対分光分布の一例を示すグラフである。
【００１４】
図２の例では、波形Ａは、波長４７０ｎｍにピーク値を有し、波形Ｂは、５５５ｎｍにピーク値を有し、波形Ｃは、６３０ｎｍにピーク値を有する波形である。また、各波形Ａ〜Ｃのピーク値をそれぞれａ，ｂ，ｃとすると、ｂ／ａ＝０．８、ｃ／ａ＝０．４である。
【００１５】
例えば、波形Ａは、青色光源１１の点灯によって得られ、波形Ｂは、緑色光源１２の点灯によって得られ、波形Ｃは、赤色光源１３の点灯によって得られるものである。即ち、光源ユニット１４は、これらの光源１１〜１３を点灯させることで、図２の相対分光分布特性を有する照明光を照射することができるようになっている。
【００１６】
次に、図３を参照して、図２の相対分光分布特性を有する照明光が、素肌と化粧肌との色差を強調する照明光であることを説明する。
【００１７】
図３は横軸に波長をとり縦軸に反射率をとって、ある一人の人物（黄色人種）の顔の光の反射率の変化を示すグラフである。図３において実線は素肌の場合の反射率の変化を示し、破線は化粧後の肌（化粧肌）の場合の反射率の変化を示している。
【００１８】
例えば、６８０−７００ｎｍ近傍においては、図３の実線及び破線に示すように、素肌の反射率と化粧肌の反射率は略同様である。従って、この波長近傍の波長域にピークを有する照明光で素肌及び化粧肌を照明しても、同様の反射率であるので反射光の色差は比較的小さく、素肌と化粧肌とを見分けにくいと考えられる。
【００１９】
逆に、波長が４２０〜４４０ｎｍ近傍、波長が５２０〜５８０ｎｍ近傍では、素肌の反射率と化粧肌の反射率の差が比較的大きい。即ち、照明光の波長特性を適宜設定することで、素肌と化粧肌の反射光の色差を大きくすることができ、素肌と化粧肌とが見分けやすくなると考えられる。
【００２０】
どのような分光分布特性において素肌と化粧肌との色差が大きくなるかを調べるために、先ず４０５人の人物について素肌の場合の分光反射率と化粧肌の場合の分光反射率とを計測した。この４０５対の計測データに基づいて、各分光分布特性の照明光を照射した場合の色差を計算した。
【００２１】
なお、色差は、物体の色度を色空間で表した場合の座標間の距離で表される。ここでは、Ｄ６５光源を基準光源としてＬ＊ａ＊ｂ＊表色系の色空間を定義した。しかし、単純に色空間座標での距離を色差とした場合には、同じ色差でも感覚的には異なる色差に感じることがある。例えば、赤の領域における色空間座標の距離と、青の領域の同じ距離では、感覚的には異なる色差と判断されることがある。そこで、感覚的に同じ色差と感じる距離に変換した色差であるＣＩＥＤＥ２０００を用いる。
【００２２】
更に、このような色差、即ち、Ｌ＊ａ＊ｂ表色系においてＤ６５光源を基準光源としたときのＣＩＥＤＥ２０００の数値と人間の感覚とを対応付けるために、JIS Z 8730:2009「色の表示方法−物体色の色差」（出典：新編色彩科学ハンドブック第３版，日本色彩学会編，東京大学出版会）で用いる許容色差の等級分けを採用する。
【００２３】
図４はこのような色差（ＣＩＥＤＥ２０００の値）の等級分けを示す図表である。なお、図４の表中の色差はある範囲をもった色差の中央値を示している。
【００２４】
例えば、色差の値が２．５の場合には、等級は３級であり、離間して測定した場合に、ほぼ同一と認めることができる色差であると判定される。また、例えば、４級の場合には、経時比較した場合に、ほぼ同一と認めることができる色差であると判定される。
【００２５】
そこで、本実施の形態においては、経時比較した場合でも色差の違いを認識できる４級の色差であるＣＩＥＤＥ２０００の値４．０を閾値として、照明光の有効無効を判定した。
【００２６】
４０５人の素肌と化粧肌の分光反射率のデータを用いて、４５０〜４８０ｎｍの波長域にピークを有する光（青色光）、５３０〜５７０ｎｍの波長域にピークを有する光（緑色光）、６２０〜６５０ｎｍの波長域にピークを有する光（赤色光）の３種類を照明光とした場合に、大きな色差が得られることが判明した。
【００２７】
また、この場合には、４５０〜４８０ｎｍの波長域にピークを有する光（青色光）のピークレベル（ａ）と、５３０〜５７０ｎｍの波長域にピークを有する光（緑色光）のピークレベル（ｂ）との比ｂ／ａが、１．０〜１．３の場合に、最も大きい色差が得られることが判明した。また、この場合の各光の半値幅を４０ｎｍ以下に設定すると、色差の値４．０が得られることもあることが分かった。
【００２８】
更に、同一の４０５対の分光反射率データを用いて、３種類の光の各ピーク波長及び半値幅並びに各ピークレベルのバランスを変化させながら、十分な色差が得られるピーク波長の値をシミュレーションによって求めた。この結果、３種類の光のうち２つの光については、２種類の光で最も大きい色差を得るものとして求められた２つの光と同一の光であることが判明した。更に、残りの１つの光は、６２０〜６５０ｎｍの波長域にピークを有する光であることも判明した。
【００２９】
また、この場合には、４５０〜４８０ｎｍの波長域にピークを有する光（青色光）のピークレベル（ａ）と、５３０〜５７０ｎｍの波長域にピークを有する光（緑色光）のピークレベル（ｂ）と、６２０〜６５０ｎｍの波長域にピークを有する光（赤色光）のピークレベル（ｃ）との関係が、ｂ／ａ＝０．７〜１．０で且つｃ／ａ＝０．３〜０．８の場合に、最も大きい色差が得られることが判明した。また、この場合の各光の半値幅を４０ｎｍ以下に設定すると、色差の値４．０が多くのデータ対で得られることが分かった。
【００３０】
更に、同様のシミュレーションを４種類の光の場合について行ったが、色差は３種類の光を用いた場合と大差ないことが判明した。
【００３１】
以上から、本実施の形態においては、青色光源１１、緑色光源１２及び赤色光源１３を用いて、４５０〜４８０ｎｍの波長域、５３０〜５７０ｎｍの波長域及び６２０〜６５０ｎｍの波長域にピークを有し、各ピーク値をそれぞれａ〜ｃとして、ｂ／ａ＝０．７〜１．０で且つｃ／ａ＝０．３〜０．８となる分光分布特性を有する照明光を照射可能な光源ユニット１４を採用した。また、これらの３つの波長域では半値幅が４０ｎｍ以下である。半値幅が所定値以下であることにより、より多くの人について色差が大きくなるものと考えられる。
【００３２】
なお、図４の表の３級と４級の境界である色差４．０を閾値に設定して、上記４０５対のデータのうち何対のデータに基づく色差が閾値を超えるかを計算した。その結果、図２の分光分布では３３６対で閾値以上の色差が得られる。つまり、図２の分光分布特性で照明を行う照明装置１０を用いて４０５人の素肌及び化粧肌を照明した場合には、４０５人中約８割の３３６人の肌において、素肌と化粧肌の色差が知覚できるレベルとなった。即ち、この３３６人については、ファンデーションの塗りむら等を容易に認識することができることになる。
【００３３】
なお、比較のために、一般的な照明装置、例えば、相関色温度６３００ＫのＬＥＤ光源による照明装置によって、上記４０５人を照明する場合について計算した。図５はこのような相関色温度６３００ＫのＬＥＤ光源における分光分布特性を示すグラフである。
【００３４】
４０５対のデータについて、このような光源を用いた場合の色差を同様に計算すると、４０５対のデータのうち８８対のデータのみが閾値である色差４．０を超えた。即ち、この場合には、４０５人中８８人である約２割の人しか、素肌と化粧肌とを区別することができないことになる。
【００３５】
このように、本実施の形態においては、光源ユニット１４を採用することで、より多くの人の肌について、素肌と化粧肌の色差を識別しやすい照明光の照射が可能であり、化粧の塗りむらを容易に識別することができる。
【００３６】
また、本実施の形態においては、青色光源、緑色光源及び赤色光源の３種類の光源を利用していることから、照明光は一般的な白色光源によって得られる白色光に近い光であり、肌の見え方に違和感を覚えることがないという利点もある。
【００３７】
なお、本実施の形態においては、ピークが３箇所にある分光分布特性の照明光を照射する装置を採用したが、上述したように、ピークが２箇所にある分光分布特性の照明光であっても、ピークの波長帯域及びピークレベルのバランスによっては、素肌と化粧肌の色差を強調することができる。
【００３８】
また、本実施の形態においては、光源ユニット及び照明装置の構造はどのようなものでもよく、例えば直管ランプによって構成することも可能である。
【００３９】
（第２の実施の形態）
図６は本発明の第２の実施の形態に係る照明装置の外観を示す斜視図である。また、図７は図６の照明装置の内部の構成を示す説明図である。本実施の形態は第１の実施の形態と同様の分光分布特性を有する光源ユニットを利用したミラー照明装置の例である。
【００４０】
図６及び図７において、照明装置２１は、器具本体３７、照明基板３０、拡散板２３及びミラー２２等によって構成される。器具本体３７は、一面が開口した筐体であり、開口側に設けた収納部に、照明基板３０を図示しない固定部材で固定した状態で収納することができるようになっている。また、器具本体３７には、照明基板３０の収納部側に図示しない支持部材が立設されており、この支持部材に支持されて、照明基板３０上にミラー２２が配設される。拡散板２３は、中央が開口した額縁形状を有し、器具本体３７に図示しないねじ等によって取付け固定されるようになっている。拡散板２３を器具本体３７に取り付けることで、ミラー２２は、支持部材と拡散板２３との間に挟持されると共に、反射面が拡散板２３の開口から露呈するようになっている。
【００４１】
本実施の形態においては、照明基板３０の４つの縁辺部には、複数の光源ユニット３２が配設される。光源ユニット３２は、白色光源３３、赤色光源３４、緑色光源３５及び青色光源３６の４種類の光源によって構成される。本実施の形態においては、例えば、赤色光源３４、緑色光源３５及び青色光源３６は、例えば図２の波形Ｃ〜Ａの相対分光分布特性を有する光を照射することができるようになっている。即ち、光源ユニット３２は、光源３４〜３６を点灯させることで、図２の相対分光分布特性を有する照明光を照射することができる。
【００４２】
なお、光源ユニット３２は、図２の特性に限らず、光源３６〜３４によって、４５０〜４８０ｎｍの波長域にピークを有する光（青色光）のピークレベル（ａ）と、５３０〜５７０ｎｍの波長域にピークを有する光（緑色光）のピークレベル（ｂ）と、６２０〜６５０ｎｍの波長域にピークを有する光（赤色光）のピークレベル（ｃ）との関係が、ｂ／ａ＝０．７〜１．０で且つｃ／ａ＝０．３〜０．８となる照明光を照射可能であればよい。更に、これらの各光の半値幅は、４０ｎｍ以下であることが望ましい。また、本実施の形態においては、光源ユニット３２は、相関色温度６３００Ｋの白色光を照射する白色光源３３を有する。例えば、白色光源３３の分光分布特性は、図５と同様である。
【００４３】
光源ユニット３２は、拡散板２３に対向して配置されており、光源ユニット３２からの光は、拡散板２３によって拡散されて、照明装置２１の前面側から照射される。これにより、ミラー２２に顔等を映し出す人物の顔に向けて拡散板２３からの照明光が照射され、当該人物は、光源ユニット３２によって照明された自分の顔等をミラー２２によって確認することができるようになっている。
【００４４】
照明基板３０上には、照明制御部として機能する電源部３１が搭載されている。電源部３１は、光源ユニット３２の各光源３３〜３６に電力を供給して点灯を制御する。電源部３１は、照明装置２１の側面に設けたスイッチ２４〜２６によって制御されるようになっている。スイッチ２４は、電源部３１から光源ユニット３２への電力の供給又は停止を制御する電源スイッチである。
【００４５】
本実施の形態においては、電源部３１は、各光源ユニット３２の白色光源３３のみを点灯させるように電力供給を制御することができると共に、各光源ユニット３２の光源３４〜３６のみを点灯させるように電力供給を制御することができる。電源部３１が各光源ユニット３２の白色光源３３のみを点灯させる通常モードと、各光源ユニット３２の光源３４〜３６のみを点灯させるチェックモードとは、スイッチ２５及び２６によって切換えられる。
【００４６】
スイッチ２５の操作が行われると、電源部３１は通常モードで動作し、スイッチ２６の操作が行われると、電源部３１はチェックモードで動作するようになっている。
【００４７】
次に、このように構成された実施の形態の作用について説明する。
【００４８】
いま、使用者がスイッチ２５の操作によって通常モードを指定するものとする。この場合には、電源部３１は、光源ユニット３２の白色光源３３のみを単独で点灯させる。これにより、図５の分光分布特性の照明光が得られる。
【００４９】
また、使用者がスイッチ２６の操作によってチェックモードを指定するものとする。この場合には、電源部３１は、光源ユニット３２の光源３４〜３６を上述した所定の割合で混光して点灯させる。例えば、光源３６〜３４を５：４：２の割合で混光すると、図２に示す分光分布特性の照明光が得られる。なお、混光比とは、光を混ぜ合わせる際のそれぞれの光の光束比である。
【００５０】
ある黄色人種の人物については、通常モードで照明した場合の素肌と化粧肌との色差は２．７となり、チェックモードで照明した場合の素肌と化粧肌との色差は４．１となった。なお、色差は、第１の実施の形態と同様に、Ｌ＊ａ＊ｂ＊表色系においてＤ６５光源を基準光源としたときのＣＩＥＤＥ２０００を用いた。
【００５１】
従って、この人物については、通常モードよりもチェックモードで照明した場合の方が、素肌と化粧肌との色差は大きくなった。つまり、チェックモードの光はファンデーションの塗りムラを視認しやすくすることが分かる。
【００５２】
なお、通常モードは一般的な照明環境であり、通常モードに設定することで、一般的な照明環境下における化粧の仕上がりを確認することもできる。
【００５３】
このように本実施の形態においては、白色光による通常モードと、第１の実施の形態と同様の相対分光分布特性を有する照明光によるチェックモードとを切換えて照明を行うことができ、チェックモードを化粧時に使用することで、不適切な塗りムラや塗り忘れを無くし肌を美しく仕上げることができと共に、通常モードによって一般的な照明環境下で化粧の仕上がりを確認することができる。
【００５４】
なお、通常モードとしては、オフィスでよく用いられる昼白色や、飲食店などでよく使われる電球色など複数パターンを備えてもよい。
【００５５】
また、白色光源を省略し、光源３４〜３６の混光比を制御することで、通常モードで用いる白色光を得るようにしてもよい。
【００５６】
また、モードの切り替えは、装置側面に配設したスイッチによって行ってもよいし、図示しない赤外線リモコン等を用いてもよい。 通常モードとチェックモードとで異なる光源を使用しており、各光源をオンオフするのみでモードを切換えることができ、制御が容易である。
【００５７】
また、通常モードとチェックモードとで同じ光源または一部同じ光源を使用することから、全体として使用する光源の数や種類を減らすことができ、小型化あるいは低コスト化が可能である。
【符号の説明】
【００５８】
１０…照明装置、１１…青色光源、１２…緑色光源、１３…赤色光源、１４…光源ユニット。
【図１】
2015185438.tif 000003
【図２】
2015185438.tif 000004
【図３】
2015185438.tif 000005
【図４】
2015185438.tif 000006
【図５】
2015185438.tif 000007
【図６】
2015185438.tif 000008
【図７】
2015185438.tif 000009